(57)【要約】【課題】寿命の長い誘電体バリア放電ランプを提供する。【解決手段】直角以下の角を有さない凹部を備えたセラミックス２を電極として利用する。これにより、放電中の電界集中が抑制されるので、より長寿命の誘電体バリア放電ランプを提供することができる。【選択図】図１
2008243382.tif 000002
【特許請求の範囲】
【請求項１】
ガラス管と、
前記ガラス管の端部に配置され、ガラス管側に鈍角あるいは曲面で形成された凹部を備えたセラミックス電極と、
を有することを特徴とする誘電体バリア放電ランプ。
【請求項２】
ガラス管と、そのガラス管の端部に配置され、ガラス管側に鈍角あるいは曲面で形成された凹部を備えたセラミックス電極とを有する誘電体バリア放電ランプと、
前記セラミックス電極に電気的に接続され高周波電圧を印加する電源と、
を有することを特徴とする照明装置。
【発明の詳細な説明】
【技術分野】
【０００１】
本発明は、誘電体バリア放電ランプ及びそれを光源として備える照明装置に関する。
【背景技術】
【０００２】
従来、液晶表示装置用バックライト装置などの照明装置の光源として、ガラス管の両端の外表面に電極を備えた誘電体バリア放電ランプが知られている（特許文献１、特許文献２参照）。
【０００３】
図７は、従来の誘電体バリア放電ランプを使用した照明装置の構成を示す図である。同図に示す誘電体バリア放電ランプ７０は、誘電体であるガラス管７１の内壁に蛍光体被膜７２を備え、内部７３に希ガスまたは水銀と希ガスを封入して両端部を封着し、両端部のそれぞれの外表面に外部電極７４Ａ，７４Ｂを形成したものである。外部電極７４Ａ，７４Ｂに電源１００を接続し、高周波電圧を印加することにより、ガラス管内で放電が生じてランプが発光する。
【０００４】
また、セラミックスを電極として用いた誘電体バリア放電ランプが提案されている。図８は、セラミックスを電極として用いた従来の誘電体バリア放電ランプの電極部の構成を示す断面図である。同図に示す誘電体バリア放電ランプ８０は、ガラス管８１の端部をセラミックス８５で封止し、セラミックス８５の外表面に外部電極８４を形成したものである。セラミックスを電極とした誘電体バリア放電ランプは、セラミックスがホウ珪酸塩ガラスよりも比誘電率が高いことから、電極が同一形状の場合、ランプ電圧を下げることができる。
【特許文献１】実開昭６１−１２６５５９号公報
【特許文献２】特開２００４−１４６３５１号公報
【発明の開示】
【発明が解決しようとする課題】
【０００５】
しかしながら、図７に示す誘電体バリア放電ランプ７０においては、外部電極７４Ａ，７４Ｂが形成された部分に対応するガラス管７１内は、電界強度が強くなるため、ガラスビーズをガラス管７１に封着して形成されたガラス管７１内部の符号７７Ａ，７７Ｂで示す凹部にイオン衝突が局所的に集中し、ガラスが削られるという問題が生じていた。
【０００６】
また、図８に示すセラミックスを電極として用いた誘電体バリア放電ランプにおいても、セラミックス８５の内部の符号８７Ａ，８７Ｂで示す角に電界が集中して局所的にイオンが衝突し、たこつぼ状の窪みが発生しやすい状態である。
【０００７】
本発明は、上記に鑑みてなされたものであり、その課題とするところは、電極部における電界の集中を抑制し、より寿命の長い誘電体バリア放電ランプを提供することにある。
【課題を解決するための手段】
【０００８】
本発明に係る誘電体バリア放電ランプは、ガラス管と、ガラス管の端部に配置され、ガラス管側に鈍角あるいは曲面で形成された凹部を備えたセラミックス電極と、を有することを特徴とする。
【０００９】
本発明にあっては、セラミックス電極の凹部が鈍角あるいは曲面で形成されていることにより、電界が局所的に集中することが抑制されるので、誘電体バリア放電ランプの寿命をより長くすることができる。
【発明の効果】
【００１０】
本発明によれば、電極部における電界の集中を抑制し、より寿命の長い誘電体バリア放電ランプを提供することができる。
【発明を実施するための最良の形態】
【００１１】
以下、本発明の実施の形態について図面を用いて説明する。
【００１２】
［第１の実施の形態］
図１は、第１の実施の形態における誘電体バリア放電ランプの電極部の構成を示す断面図である。同図に示す誘電体バリア放電ランプ１０は、従来例と同様に誘電体であるガラス管１の内壁に蛍光体被膜を備え、ガラス管１の内部に希ガスまたは水銀と希ガスを封入して両端部をセラミックス２で封着し、セラミックス２の外表面に半田などで外部電極３を形成したものである。ガラス管１とセラミックス２とは、ガラス管１やセラミックス２よりも融点の低い、例えば、フリットガラスなどを用いて接着される。
【００１３】
セラミックス２は、円柱において、ガラス管１側に凹部を形成した形状であり、図１の断面図に示すように、セラミックス２の内壁の角が直角以下の角度になるように形成されている。このように、セラミックス２の内壁の角を鈍角で形成することにより、内壁の角に電界が集中するのを軽減することができる。なお、電極として用いるセラミックス２は、いわゆるファインセラミックスである。ファインセラミックスは高い絶縁性や耐熱性を持っている。また、セラミックス２は、鋳型を用いて作られるので、自由に形状を決めることができる。
【００１４】
図１に示した誘電体バリア放電ランプ１０は、外部電極３をクリップ状のソケットなどで挟み、高周波電圧を印加する電源に電気的に接続して照明装置を構成する。もちろん、外部電極３にリード線などを接続して誘電体バリア放電ランプ１０に給電しても良い。また、液晶表示装置のバックライト装置として、複数本の誘電体バリア放電ランプ１０を並設して照明装置を構成することもできる。
【００１５】
図２は、第１の実施の形態における別の誘電体バリア放電ランプの電極部の構成を示す断面図である。同図に示す誘電体バリア放電ランプ２０は、図１に示したものに対して、セラミックス２２の内壁の形状が曲面で形成されている点で異なっている。このように、セラミックス２２の内壁を曲面で形成することで、イオン衝突が局所的に集中することを抑制することができる。
【００１６】
したがって、本実施の形態によれば、直角以下の角度の角を有さない凹部を備えたセラミックス２を電極として利用することにより、放電中における電界集中が抑制されるので、より長寿命の誘電体バリア放電ランプを提供することができる。
【００１７】
なお、セラミックス２とガラス管１の接着部に対応する部分には外部電極３が形成されていないので、電界が集中することはない。
【００１８】
［第２の実施の形態］
図３は、第２の実施の形態における誘電体バリア放電ランプの電極部の構成を示す断面図である。同図に示す誘電体バリア放電ランプ３０は、図１に示した誘電体バリア放電ランプ１０に対して、符号３７で示すセラミックス３２の底面の厚さが一定になるように、セラミックス３２の外壁の底面の形状を内壁の底面に対応した形状とした点で異なっている。セラミックス３２の厚さが薄い方が静電容量が大きくなるので、ランプ電圧を低くすることが可能となる。
【００１９】
図４は、第２の実施の形態における別の誘電体バリア放電ランプの電極部の構成を示す断面図である。同図に示す誘電体バリア放電ランプ４０は、図２に示した誘電体バリア放電ランプ２０に対して、符号４７で示すセラミックス４２の底面の厚さが一定になるように、セラミックス４２の外壁の底面の形状を曲面で形成した点で異なっている。
【００２０】
したがって、本実施の形態によれば、セラミックス３２の外面の形状を内壁の形状に対応させて形成し、セラミックス３２の厚さを一定に保つことにより、静電容量が大きくなるので、ランプ電圧を低くすることが可能となる。
【００２１】
［第３の実施の形態］
図５は、第３の実施の形態における誘電体バリア放電ランプの電極部の構成を示す断面図である。同図に示す誘電体バリア放電ランプ５０は、図２に示した誘電体バリア放電ランプ２０に対して、セラミックス５の内壁とガラス管１の外周面が接着されている点で異なっている。外部電極３は、セラミックス５の外周面全体に形成されている。
【００２２】
図６は、第３の実施の形態における別の誘電体バリア放電ランプの電極部の構成を示す断面図である。同図に示す誘電体バリア放電ランプ６０は、図４に示した誘電体バリア放電ランプ４０に対して、セラミックス６の内壁とガラス管１の外周面が接着されている点で異なっている。
【００２３】
したがって、本実施の形態によれば、セラミックス５の内壁とガラス管１の外周面を接着し、セラミックス５の外周面全体に外部電極３を形成することにより、外部電極３の表面積が大きくなるので、ランプ電流及び印加電圧を低くすることが可能となる。
【００２４】
本実施の形態によれば、セラミックス５の内壁とガラス管１の外周面を接着することにより、内壁の曲面がより緩やかになるので、放電中の電界集中を抑制することが可能となる。
【００２５】
なお、セラミックス５の内壁とガラス管１との接着面はフリットガラスなどにより接着されているので、セラミックス５の内壁とガラス管１がなす角度が直角であっても、接着面からフリットガラスがしみ出しているので、電界の集中は抑制される。
【００２６】
また、図１および図３に示した、内壁が鈍角で形成されている誘電体バリア放電ランプのセラミックス電極をガラス管１の外側に配置するものでも良い。
【図面の簡単な説明】
【００２７】
【図１】第１の実施の形態における誘電体バリア放電ランプの電極部の構成を示す断面図である。
【図２】第１の実施の形態における別の誘電体バリア放電ランプの電極部の構成を示す断面図である。
【図３】第２の実施の形態における誘電体バリア放電ランプの電極部の構成を示す断面図である。
【図４】第２の実施の形態における別の誘電体バリア放電ランプの電極部の構成を示す断面図である。
【図５】第３の実施の形態における誘電体バリア放電ランプの電極部の構成を示す断面図である。
【図６】第３の実施の形態における別の誘電体バリア放電ランプの電極部の構成を示す断面図である。
【図７】従来の誘電体バリア放電ランプを用いた照明装置の構成を示す説明図である。
【図８】従来の別の誘電体バリア放電ランプの電極部の構成を示す断面図である。
【符号の説明】
【００２８】
１，７１，８１…ガラス管
２，２２，３２，４２，５，６，８５…セラミックス
３，７４Ａ，７４Ｂ，８４…外部電極
７２…蛍光体被膜
７３…内部
１０，２０，３０，４０，５０，６０，７０，８０…誘電体バリア放電ランプ
１００…電源
【図１】
2008243382.tif 000003
【図２】
2008243382.tif 000004
【図３】
2008243382.tif 000005
【図４】
2008243382.tif 000006
【図５】
2008243382.tif 000007
【図６】
2008243382.tif 000008
【図７】
2008243382.tif 000009
【図８】
2008243382.tif 000010